(57)【特許請求の範囲】
【請求項１】
一対のビードコアと、一対の前記ビードコアのタイヤ径方向外側にそれぞれ配置される一対のビードフィラーと、一対の前記ビードコア間に架け渡されるカーカス層と、前記カーカス層のタイヤ径方向外側に配置されてトレッド部を構成するトレッドゴムと、前記カーカス層のタイヤ幅方向外側にそれぞれ配置されて左右のサイドウォール部を構成する一対のサイドウォールゴムとを備える空気入りタイヤであって、
前記ビードフィラー、前記カーカス層および前記トレッドゴムよりもタイヤ幅方向外側であってタイヤ最大幅位置を中心としてタイヤ径方向にタイヤ断面高さＳＨの±３０［％］の範囲内にある領域をサイドトレッド領域と呼ぶと共に、前記サイドトレッド領域の損失正接の平均値を平均損失正接と呼ぶときに、
タイヤ子午線方向の断面視にて、一方の前記サイドトレッド領域の平均損失正接tanδ_inおよび断面積Ｓ_inと、他方の前記サイドトレッド領域の平均損失正接tanδ_outおよび断面積Ｓ_outとが、０．１０≦（tanδ_in×Ｓ_in）／（tanδ_out×Ｓ_out）≦０．９０、０．０４≦tanδ_in≦０．１２、tanδ_in≦tanδ_outおよび０．５０≦Ｓ_in／Ｓ_out≦０．９０の関係を有し、且つ、
一方の前記サイドトレッド領域を車幅方向内側に位置させると共に他方の前記サイドトレッド領域を車幅方向外側に位置させて車両に装着すべき装着方向の指定を有することを特徴とする空気入りタイヤ。
【請求項２】
一対のビードコアと、一対の前記ビードコアのタイヤ径方向外側にそれぞれ配置される一対のビードフィラーと、一対の前記ビードコア間に架け渡されるカーカス層と、前記カーカス層のタイヤ径方向外側に配置されてトレッド部を構成するトレッドゴムと、前記カーカス層のタイヤ幅方向外側にそれぞれ配置されて左右のサイドウォール部を構成する一対のサイドウォールゴムとを備える空気入りタイヤであって、
前記ビードフィラー、前記カーカス層および前記トレッドゴムよりもタイヤ幅方向外側であってタイヤ最大幅位置を中心としてタイヤ径方向にタイヤ断面高さＳＨの±３０［％］の範囲内にある領域をサイドトレッド領域と呼ぶと共に、前記サイドトレッド領域の損失正接の平均値を平均損失正接と呼ぶときに、
タイヤ子午線方向の断面視にて、一方の前記サイドトレッド領域の平均損失正接tanδ_inおよび断面積Ｓ_inと、他方の前記サイドトレッド領域の平均損失正接tanδ_outおよび断面積Ｓ_outとが、０．１０≦（tanδ_in×Ｓ_in）／（tanδ_out×Ｓ_out）≦０．９０、０．０４≦tanδ_in≦０．１２、tanδ_in≦tanδ_outおよび０．５０≦Ｓ_in／Ｓ_out≦１．００の関係を有し、
前記一方のサイドトレッド領域をタイヤ幅方向に二等分したときのタイヤ幅方向外側部分の平均損失正接tanδ_in_outおよび断面積Ｓ_in_outと、タイヤ幅方向内側部分の平均損失正接tanδ_in_inおよび断面積Ｓ_in_inとが、０．１０≦（tanδ_in_out×Ｓ_in_out）／（tanδ_in_in×Ｓ_in_in）≦０．９０およびtanδ_in_out＜tanδ_in_inの関係を有し、且つ、
一方の前記サイドトレッド領域を車幅方向内側に位置させると共に他方の前記サイドトレッド領域を車幅方向外側に位置させて車両に装着すべき装着方向の指定を有することを特徴とする空気入りタイヤ。
【請求項３】
一方の前記サイドトレッド領域をタイヤ最大幅位置を境界としてタイヤ径方向に二分割したときのタイヤ径方向外側部分の平均損失正接tanδ_in_upおよび断面積Ｓ_in_upと、タイヤ径方向内側部分の平均損失正接tanδ_in_lowおよび断面積Ｓ_in_lowとが、０．１０≦（tanδ_in_up×Ｓ_in_up）／（tanδ_in_low×Ｓ_in_low）≦０．９０の関係を有する請求項１または２に記載の空気入りタイヤ。
【請求項４】
一方の前記サイドトレッド領域にある前記サイドウォールゴムが、相互に異なる損失正接を有する複数のゴム材料から成る請求項２または３に記載の空気入りタイヤ。
【請求項５】
タイヤ呼び幅が３５５［ｍｍ］以上、タイヤ扁平率が５５［％］以下、規定リムのリム径が１７．５［インチ］以上であり、且つ、シングル装着方式を採用する重荷重用タイヤに適用される請求項１〜４のいずれか一つに記載の空気入りタイヤ。
【発明の詳細な説明】
【技術分野】
【０００１】
この発明は、空気入りタイヤに関し、さらに詳しくは、タイヤの耐発熱性能を向上できる空気入りタイヤに関する。
【背景技術】
【０００２】
近年、大型トラックやバスなどに適用される空気入りタイヤでは、低燃費化および軽量化（輸送効率の向上）を図るために、車両のドライブ軸およびトレーラ軸に採用されるタイヤ装着方式が従来のデュアル装着方式からシングル装着方式に移行しつつある。
【０００３】
かかるシングル装着方式の空気入りタイヤでは、（ａ）デュアル装着方式の空気入りタイヤと比較して１本あたりの荷重負荷が大きいため、タイヤの発熱量が大きくなり易い。また、（ｂ）タイヤの車両装着状態における車両内側領域は、車両外側領域と比較してブレーキ熱やエンジン熱などの影響を受け易い。さらに、（ｃ）近年では、扁平率５５以下の低床低扁平シングルタイヤの需要が増加しつつあるが、かかる低扁平な空気入りタイヤでは、上記の（ａ）および（ｂ）の傾向が現れ易い。このため、従来の空気入りタイヤでは、内分温度の上昇を抑制して、タイヤの耐発熱性能を向上すべき課題がある。
【０００４】
なお、本願発明に関連する空気入りタイヤとして、特許文献１に記載される技術が知られている。
【先行技術文献】
【特許文献】
【０００５】
【特許文献１】特開２００７−８３９１３号公報
【発明の概要】
【発明が解決しようとする課題】
【０００６】
この発明は、タイヤの耐発熱性能を向上できる空気入りタイヤを提供することを目的とする。
【課題を解決するための手段】
【０００７】
上記目的を達成するため、この発明にかかる空気入りタイヤは、一対のビードコアと、一対の前記ビードコアのタイヤ径方向外側にそれぞれ配置される一対のビードフィラーと、一対の前記ビードコア間に架け渡されるカーカス層と、前記カーカス層のタイヤ径方向外側に配置されてトレッド部を構成するトレッドゴムと、前記カーカス層のタイヤ幅方向外側にそれぞれ配置されて左右のサイドウォール部を構成する一対のサイドウォールゴムとを備える空気入りタイヤであって、前記ビードフィラー、前記カーカス層および前記トレッドゴムよりもタイヤ幅方向外側であってタイヤ最大幅位置を中心としてタイヤ径方向にタイヤ断面高さＳＨの±３０［％］の範囲内にある領域をサイドトレッド領域と呼ぶと共に、前記サイドトレッド領域の損失正接の平均値を平均損失正接と呼ぶときに、タイヤ子午線方向の断面視にて、一方の前記サイドトレッド領域の平均損失正接tanδ_inおよび断面積Ｓ_inと、他方の前記サイドトレッド領域の平均損失正接tanδ_outおよび断面積Ｓ_outとが、０．１０≦（tanδ_in×Ｓ_in）／（tanδ_out×Ｓ_out）≦０．９０、０．０４≦tanδ_in≦０．１２、tanδ_in≦tanδ_outおよび０．５０≦Ｓ_in／Ｓ_out≦０．９０の関係を有し、且つ、一方の前記サイドトレッド領域を車幅方向内側に位置させると共に他方の前記サイドトレッド領域を車幅方向外側に位置させて車両に装着すべき装着方向の指定を有することを特徴とする。
また、この発明にかかる空気入りタイヤは、一対のビードコアと、一対の前記ビードコアのタイヤ径方向外側にそれぞれ配置される一対のビードフィラーと、一対の前記ビードコア間に架け渡されるカーカス層と、前記カーカス層のタイヤ径方向外側に配置されてトレッド部を構成するトレッドゴムと、前記カーカス層のタイヤ幅方向外側にそれぞれ配置されて左右のサイドウォール部を構成する一対のサイドウォールゴムとを備える空気入りタイヤであって、前記ビードフィラー、前記カーカス層および前記トレッドゴムよりもタイヤ幅方向外側であってタイヤ最大幅位置を中心としてタイヤ径方向にタイヤ断面高さＳＨの±３０［％］の範囲内にある領域をサイドトレッド領域と呼ぶと共に、前記サイドトレッド領域の損失正接の平均値を平均損失正接と呼ぶときに、タイヤ子午線方向の断面視にて、一方の前記サイドトレッド領域の平均損失正接tanδ_inおよび断面積Ｓ_inと、他方の前記サイドトレッド領域の平均損失正接tanδ_outおよび断面積Ｓ_outとが、０．１０≦（tanδ_in×Ｓ_in）／（tanδ_out×Ｓ_out）≦０．９０、０．０４≦tanδ_in≦０．１２、tanδ_in≦tanδ_outおよび０．５０≦Ｓ_in／Ｓ_out≦１．００の関係を有し、前記一方のサイドトレッド領域をタイヤ幅方向に二等分したときのタイヤ幅方向外側部分の平均損失正接tanδ_in_outおよび断面積Ｓ_in_outと、タイヤ幅方向内側部分の平均損失正接tanδ_in_inおよび断面積Ｓ_in_inとが、０．１０≦（tanδ_in_out×Ｓ_in_out）／（tanδ_in_in×Ｓ_in_in）≦０．９０およびtanδ_in_out＜tanδ_in_inの関係を有し、且つ、一方の前記サイドトレッド領域を車幅方向内側に位置させると共に他方の前記サイドトレッド領域を車幅方向外側に位置させて車両に装着すべき装着方向の指定を有することを特徴とする。
【０００８】
また、この発明にかかる空気入りタイヤでは、一方の前記サイドトレッド領域をタイヤ最大幅位置を境界としてタイヤ径方向に二分割したときのタイヤ径方向外側部分の平均損失正接tanδ_in_upおよび断面積Ｓ_in_upと、タイヤ径方向内側部分の平均損失正接tanδ_in_lowおよび断面積Ｓ_in_lowとが、０．１０≦（tanδ_in_up×Ｓ_in_up）／（tanδ_in_low×Ｓ_in_low）≦０．９０の関係を有することが好ましい。
【００１０】
また、この発明にかかる空気入りタイヤでは、一方の前記サイドトレッド領域にある前記サイドウォールゴムが、相互に異なる損失正接を有する複数のゴム材料から成ることが好ましい。
【００１１】
また、この発明にかかる空気入りタイヤでは、一方の前記サイドトレッド領域を車幅方向内側に位置させると共に他方の前記サイドトレッド領域を車幅方向外側に位置させて車両に装着すべき装着方向の指定を有することが好ましい。
【００１２】
また、この発明にかかる空気入りタイヤでは、タイヤ呼び幅が３５５［ｍｍ］以上、タイヤ扁平率が５５［％］以下、規定リムのリム径が１７．５［インチ］以上であり、且つ、シングル装着方式を採用する重荷重用タイヤに適用されることが好ましい。
【発明の効果】
【００１３】
この発明にかかる空気入りタイヤでは、一方のサイドトレッド領域の基準発熱量tanδ_in×Ｓ_inが他方のサイドトレッド領域の基準発熱量tanδ_out×Ｓ_outよりも小さく設定されるので、タイヤが前記一方のサイドトレッド領域を車幅方向内側に向けて車両に装着されたときに、車幅方向内側におけるサイドウォール部の発熱が抑制される。これにより、タイヤの耐発熱性能が向上する利点がある。
【図面の簡単な説明】
【００１４】
【図１】図１は、この発明の実施の形態にかかる空気入りタイヤを示すタイヤ子午線方向の断面図である。
【図２】図２は、図１に記載した空気入りタイヤのサイドウォール部を示す断面図である。
【図３】図３は、図１に記載した空気入りタイヤの変形例を示す説明図である。
【図４】図４は、図１に記載した空気入りタイヤの変形例を示す説明図である。
【図５】図５は、この発明の実施の形態にかかる空気入りタイヤの性能試験の結果を示す表である。
【発明を実施するための形態】
【００１５】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１６】
［空気入りタイヤ］
図１は、この発明の実施の形態にかかる空気入りタイヤを示すタイヤ子午線方向の断面図である。同図は、重荷重用ラジアルタイヤを示している。図２は、図１に記載した空気入りタイヤのサイドウォール部を示す断面図である。図３および図４は、図１に記載した空気入りタイヤの変形例を示す説明図である。
【００１７】
なお、この実施の形態では、タイヤの車両装着状態を基準として、タイヤの車幅方向内側および車幅方向外側を定義する。
【００１８】
この空気入りタイヤ１は、一対のビードコア２、２と、一対のビードフィラー３、３と、カーカス層４と、ベルト層５と、トレッドゴム６と、一対のサイドウォールゴム７、７とを備える（図１参照）。一対のビードコア２、２は、環状構造を有し、左右のビード部のコアを構成する。一対のビードフィラー３、３は、一対のビードコア２、２のタイヤ径方向外周にそれぞれ配置されてビード部を補強する。カーカス層４は、左右のビードコア２、２間にトロイダル状に架け渡されてタイヤの骨格を構成する。また、カーカス層４の両端部は、ビードコア２およびビードフィラー３を包み込むようにタイヤ幅方向外側に巻き返されて係止される。ベルト層５は、積層された複数のベルト材５１〜５３から成り、カーカス層４のタイヤ径方向外周に配置される。トレッドゴム６は、カーカス層４およびベルト層５のタイヤ径方向外周に配置されてタイヤのトレッド部を構成する。一対のサイドウォールゴム７、７は、カーカス層４のタイヤ幅方向外側にそれぞれ配置されて左右のサイドウォール部を構成する。
【００１９】
なお、この実施の形態では、リムクッションゴム８２が、カーカス層４の巻き返し端部をタイヤ幅方向外側から覆って配置されている（図２参照）。また、ビードゴム８１が、カーカス層４の巻き返し部およびリムクッションゴム８２の一部をタイヤ径方向内側から覆って配置されている。また、ベルトクッションゴム８３が、ベルト層５（最内層のベルト材５１）の端部とカーカス層４との間に挟み込まれ、カーカス層４に沿ってタイヤ径方向内側に延在している。また、サイドウォールゴム７が、タイヤ径方向に長尺な形状を有し、ビード部からショルダー部に渡って延在してサイドウォール部の壁面を構成している。このとき、サイドウォールゴム７のタイヤ径方向内側の端部が、カーカス層４の巻き返し端部、ビードフィラー３の一部、ビードゴム８１の端部およびリムクッションゴム８２の一部をタイヤ幅方向外側から覆っている。また、サイドウォールゴム７のタイヤ径方向外側の端部が、トレッドゴム６の側部およびベルトクッションゴム８３の一部をタイヤ幅方向外側から覆っている。
【００２０】
［サイドトレッド領域、平均損失正接および基準発熱量］
ここで、ビードフィラー３、カーカス層４およびトレッドゴム６よりもタイヤ幅方向外側であってタイヤ最大幅位置Ａを中心としてタイヤ径方向にタイヤ断面高さＳＨの±３０［％］の範囲内にある領域を、サイドトレッド領域と呼ぶ（図１参照）。このサイドトレッド領域は、左右のサイドウォール部についてそれぞれ定義される。また、サイドトレッド領域を構成するゴム材料は、主としてサイドウォールゴム７であるが、例えば、リムクッションゴム８２の一部、ビードゴム８１の端部、ベルトクッションゴム８３の一部などの他のゴム材料も含まれ得る（図２参照）。
【００２１】
また、損失正接の平均値を平均損失正接と呼ぶ。この実施の形態では、車幅方向内側のサイドトレッド領域の平均損失正接tanδ_inおよび車幅方向外側のサイドトレッド領域の平均損失正接tanδ_outが、以下の数式（１）に基づいて算出される。なお、ｋは、サイドトレッド領域に配置されるゴム材料の数である。tanδｋは、各ゴム材料の損失正接であり、６０［℃］における貯蔵弾性率Ｅ’と損失弾性率Ｅ”との比Ｅ’／Ｅ”である。この実施の形態では、tanδｋとして、粘弾性スペクトロメーター（岩本製作所製）を使用して周波数２０Ｈｚ、初期歪み１０％、動歪み±２％および温度６０［℃］の条件で測定したときの値が用いられている。Ｓｋは、タイヤ子午線方向の断面視における各ゴム材料の断面積である。
【００２２】
【数１】
0005899642.tif 000002
【００２３】
また、平均損失正接と断面積との積を基準発熱量と呼ぶ。この基準発熱量が小さいほど、タイヤ転動時における実際の発熱量Ｈ［kcal］が小さく、好ましい。この実施の形態では、車幅方向内側のサイドトレッド領域の基準発熱量がtanδ_in×Ｓ_inとなり、車幅方向外側のサイドトレッド領域の基準発熱量がtanδ_out×Ｓ_outとなる。
【００２４】
なお、タイヤ最大幅位置Ａおよびタイヤ断面高さＳＨは、タイヤが規定リムに装着されて規定内圧を付与されると共に無負荷状態とされたときの測定値である。
【００２５】
ここで、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００２６】
［サイドトレッド領域の基準発熱量］
近年、大型トラックやバスなどに適用される空気入りタイヤでは、低燃費化および軽量化（輸送効率の向上）を図るために、車両のドライブ軸およびトレーラ軸に採用されるタイヤ装着方式が従来のデュアル装着方式からシングル装着方式に移行しつつある。
【００２７】
かかるシングル装着方式の空気入りタイヤでは、（ａ）デュアル装着方式の空気入りタイヤと比較して１本あたりの荷重負荷が大きいため、タイヤの発熱量が大きくなり易い。また、（ｂ）タイヤの車両装着状態における車両内側領域は、車両外側領域と比較してブレーキ熱やエンジン熱などの影響を受け易い。さらに、（ｃ）近年では、扁平率５５以下の低床低扁平シングルタイヤの需要が増加しつつあるが、かかる低扁平な空気入りタイヤでは、上記の（ａ）および（ｂ）の傾向が現れ易い。このため、従来の空気入りタイヤでは、内分温度の上昇を抑制してタイヤの耐発熱性能を向上すべき課題がある。
【００２８】
そこで、この空気入りタイヤ１は、耐発熱性能を向上させるために、以下の構成を有する（図１および図２参照）。
【００２９】
すなわち、車幅方向内側のサイドトレッド領域の基準発熱量tanδ_in×Ｓ_inと、車幅方向外側のサイドトレッド領域の基準発熱量tanδ_out×Ｓ_outとの比（tanδ_in×Ｓ_in）／（tanδ_out×Ｓ_out）が、０．１０≦（tanδ_in×Ｓ_in）／（tanδ_out×Ｓ_out）≦０．９０の関係を有することが好ましく、０．１０≦（tanδ_in×Ｓ_in）／（tanδ_out×Ｓ_out）≦０．８０の関係を有することがより好ましい。したがって、車幅方向内側のサイドトレッド領域の基準発熱量tanδ_out×Ｓ_outが相対的に小さく設定される。また、このとき、tanδ_in＜tanδ_outであることが好ましい。
【００３０】
ここで、各サイドトレッド領域の基準発熱量tanδ_in×Ｓ_in、tanδ_out×Ｓ_outは、各サイドトレッド領域の平均損失正接tanδ_in、tanδ_outおよび断面積Ｓ_in、Ｓ_outを調整することにより、任意に設定できる。例えば、（ａ）各断面積Ｓ_in、Ｓ_outを一定（Ｓ_in＝Ｓ_out）として、車幅方向内側のサイドトレッド領域の平均損失正接tanδ_inを相対的に小さく（tanδ_in＜tanδ_out）する構成、（ｂ）各平均損失正接tanδ_in、tanδ_outを一定（tanδ_in＝tanδ_out）として、車幅方向内側のサイドトレッド領域の断面積Ｓ_inを相対的に小さく（Ｓ_in＜Ｓ_out）する構成、あるいは、（ｃ）車幅方向内側のサイドトレッド領域の平均損失正接tanδ_inおよび断面積Ｓ_inをそれぞれ小さく（tanδ_in＜tanδ_out、且つ、Ｓ_in＜Ｓ_out）する構成が挙げられる。
【００３１】
また、一般的には、タイヤのユニフォミティを確保する観点から、左右のサイドトレッド領域の断面積Ｓ_in、Ｓ_outが等しく（Ｓ_in＝Ｓ_out）設定されることが好ましい。かかる場合には、上記の（ａ）のパターンにより、車幅方向内側のサイドトレッド領域の平均損失正接tanδ_inが小さく設定されて、左右の基準発熱量の比（tanδ_in×Ｓ_in）／（tanδ_out×Ｓ_out）が調整される。
【００３２】
また、サイドトレッド領域の平均損失正接tanδ_in、tanδ_outは、サイドウォールゴム７がサイドトレッド領域の大部分の断面積を占めるため、サイドウォールゴム７の損失正接に大きく依存する。したがって、車幅方向内側のサイドウォールゴム７の損失正接を車幅方向外側のサイドウォールゴム７の損失正接よりも小さく設定することにより、基準発熱量の比（tanδ_in×Ｓ_in）／（tanδ_out×Ｓ_out）を容易に調整できる。
【００３３】
また、左右のサイドトレッド領域の断面積Ｓ_in、Ｓ_outに差を設ける場合には、例えば、左右のサイドトレッド領域を構成するゴム材料（特に、サイドウォールゴム７）の肉厚を相互に異ならせることにより、基準発熱量の比（tanδ_in×Ｓ_in）／（tanδ_out×Ｓ_out）を容易に調整できる。
【００３４】
また、ゴム材料の損失正接が小さくなると、ゴム材料のモジュラスも小さくなる。このため、サイドトレッド領域を構成するゴム材料（特に、サイドウォールゴム７）の損失正接は、サイドウォール部の構造強度を確保できる範囲内で適宜設定され得る。したがって、平均損失正接tanδ_in、tanδ_outの下限値は、このサイドトレッド領域を構成するゴム材料の損失正接に依存する。
【００３５】
また、この実施の形態では、単一構造かつ一様な損失正接を有するサイドウォールゴム７が左右のサイドウォール部にそれぞれ配置されている（図１および図２参照）。また、車幅方向内側のサイドウォールゴム７の損失正接が車幅方向外側のサイドウォールゴム７の損失正接よりも小さく設定されている。これにより、基準発熱量の比（tanδ_in×Ｓ_in）／（tanδ_out×Ｓ_out）が所定の範囲内となるように調整されている。
【００３６】
しかし、これに限らず、二色構造あるいは多色構造を有するサイドウォールゴム７がサイドウォール部に配置されても良い（図３および図４参照）。例えば、一方あるいは双方のサイドウォール部に二色構造を有するサイドウォールゴム７が配置されて、左右のサイドトレッド領域の基準発熱量の比（tanδ_in×Ｓ_in）／（tanδ_out×Ｓ_out）が調整され得る。このとき、車幅方向内側のサイドウォールゴム７のみが二色構造を有しても良いし（図３および図４参照）、車幅方向外側のサイドウォールゴム７のみが二色構造を有しても良い（図示省略）。なお、かかる構成においても、上記の数式（１）により、各サイドトレッド領域の平均損失正接tanδ_in、tanδ_outが定義される。
【００３７】
例えば、図３に示す変形例では、車幅方向内側のサイドウォールゴム７が、タイヤ径方向外側にあるアッパー部７１と、タイヤ径方向内側にあるローアー部７２とから成る二色構造を有する。また、アッパー部７１およびローアー部７２が、単一構造かつ一様な損失正接を有するシート状のゴム材料から成り、タイヤ最大幅位置Ａ付近を境界としてタイヤ径方向に隣接して配置される。また、アッパー部７１の損失正接がローアー部７２の損失正接よりも小さく設定される。具体的には、車幅方向内側のサイドトレッド領域をタイヤ最大幅位置Ａを境界としてタイヤ径方向に二分割したときのタイヤ径方向外側部分の平均損失正接tanδ_in_upおよび断面積Ｓ_in_upと、タイヤ径方向内側部分の平均損失正接tanδ_in_lowおよび断面積Ｓ_in_lowとが０．１０≦（tanδ_in_up×Ｓ_in_up）／（tanδ_in_low×Ｓ_in_low）≦０．９０の関係を有する。これにより、車幅方向内側のサイドウォールゴム７の平均損失正接tanδ_inが調整されて、車幅方向外側のサイドウォールゴム７の平均損失正接tanδ_outよりも小さく設定される。なお、車幅方向外側のサイドウォールゴム７は、単一構造かつ一様な損失正接を有する（図１参照）。また、図３では、サイドウォールゴム７のアッパー部７１にハッチングを付してある。
【００３８】
なお、図３に示す変形例では、車幅方向内側のサイドウォールゴム７のみが二色構造を有するが、同様に、車幅方向外側のサイドウォールゴム７が二色構造を有しても良い（図示省略）。このとき、同様に、サイドトレッド領域のタイヤ径方向外側部分の平均損失正接tanδ_out_upおよび断面積Ｓ_out_upと、タイヤ径方向内側部分の平均損失正接tanδ_out_lowおよび断面積Ｓ_out_lowとが、０．１０≦（tanδ_out_up×Ｓ_out_up）／（tanδ_out_low×Ｓ_out_low）≦０．９０の関係を有するように設定されることが好ましい。
【００３９】
また、図３に示す変形例では、サイドウォールゴム７が二色構造を有するが、さらに、サイドウォールゴム７が相互に異なる損失正接を有する３つ以上のゴム部材から成る多色構造を有しても良い（図示省略）。かかる構成においても、タイヤ径方向の最も外側にあるゴム部の損失正接が他のゴム部の損失正接よりも小さくなるように設定されることが好ましい。
【００４０】
また、例えば、図４に示す変形例では、車幅方向内側のサイドウォールゴム７が、タイヤ幅方向外側にあるアウター部７３と、タイヤ幅方向内側にあるインナー部７４とから成る二色構造を有する。また、アウター部７３およびインナー部７４が、単一構造かつ一様な損失正接を有するシート状のゴム材料から成り、相互に貼り合わされてサイドウォールゴム７の表裏を構成する。また、アウター部７３の損失正接がインナー部７４の損失正接よりも小さく設定される。具体的には、車幅方向内側のサイドトレッド領域をタイヤ幅方向に二分割したときのタイヤ幅方向外側部分の平均損失正接tanδ_in_outおよび断面積Ｓ_in_outと、タイヤ幅方向内側部分の平均損失正接tanδ_in_inおよび断面積Ｓ_in_inとが、０．１０≦（tanδ_in_out×Ｓ_in_out）／（tanδ_in_in×Ｓ_in_in）≦０．９０の関係を有する。これにより、車幅方向内側のサイドウォールゴム７の平均損失正接tanδ_inが調整されて、車幅方向外側のサイドウォールゴム７の平均損失正接tanδ_outよりも小さく設定される。なお、車幅方向外側のサイドウォールゴム７は、単一構造かつ一様な損失正接を有する（図１参照）。また、図４では、サイドウォールゴム７のアウター部７３にハッチングを付してある。
【００４１】
なお、図４に示す変形例では、車幅方向内側のサイドウォールゴム７のみが二色構造を有するが、同様に、車幅方向外側のサイドウォールゴム７が二色構造を有しても良い（図示省略）。このとき、同様に、サイドトレッド領域のタイヤ幅方向外側部分の平均損失正接tanδ_out_outおよび断面積Ｓ_out_outと、タイヤ幅方向内側部分の平均損失正接tanδ_out_inおよび断面積Ｓ_out_inとが、０．１０≦（tanδ_out_out×Ｓ_out_out）／（tanδ_out_in×Ｓ_out_in）≦０．９０の関係を有するように設定されることが好ましい。
【００４２】
また、図４に示す変形例では、サイドウォールゴム７が二色構造を有するが、さらに、サイドウォールゴム７が相互に異なる損失正接を有する３つ以上のゴム部材から成る多色構造を有しても良い（図示省略）。かかる構成においても、タイヤ幅方向の最も外側にあるゴム部の損失正接が他のゴム部の損失正接よりも小さくなるように設定されることが好ましい。
【００４３】
なお、サイドトレッド領域の平均損失正接tanδ_in、tanδ_outは、サイドトレッド領域に含まれるゴム材料（例えば、サイドウォールゴム７、ビードゴム８１、リムクッションゴム８２、ベルトクッションゴム８３など）の損失正接を公知の手法により調整することにより、任意に設定できる。ゴム材料の損失正接を低減する手法としては、例えば、カーボンの配合量を減少させる、カーボンの粒子径が大きいものを使う、シリカを配合するなどの手法が採用され得る。
【００４４】
［効果］
以上説明したように、この空気入りタイヤ１は、一対のビードコア２、２と、一対のビードコア２、２のタイヤ径方向外側にそれぞれ配置される一対のビードフィラー３、３と、一対のビードコア２、２間に架け渡されるカーカス層４と、カーカス層４のタイヤ径方向外側に配置されてトレッド部を構成するトレッドゴム６と、カーカス層４のタイヤ幅方向外側にそれぞれ配置されて左右のサイドウォール部を構成する一対のサイドウォールゴム７、７とを備える（図１および図２参照）。また、タイヤ子午線方向の断面視にて、一方のサイドトレッド領域の平均損失正接tanδ_inおよび断面積Ｓ_inと、他方のサイドトレッド領域の平均損失正接tanδ_outおよび断面積Ｓ_outとが、０．１０≦（tanδ_in×Ｓ_in）／（tanδ_out×Ｓ_out）≦０．９０の関係を有する。
【００４５】
かかる構成では、一方のサイドトレッド領域の基準発熱量tanδ_in×Ｓ_inが他方のサイドトレッド領域の基準発熱量tanδ_out×Ｓ_outよりも小さく設定されるので、タイヤが前記一方のサイドトレッド領域を車幅方向内側に向けて車両に装着されたときに、車幅方向内側におけるサイドウォール部の発熱が抑制される。これにより、タイヤの耐発熱性能が向上する利点がある。
【００４６】
また、サイドトレッド領域の基準発熱量の比（tanδ_in×Ｓ_in）／（tanδ_out×Ｓ_out）が適正化されることにより、タイヤの耐発熱性能が適正に向上する利点がある。例えば、（tanδ_in×Ｓ_in）／（tanδ_out×Ｓ_out）＜０．１０となると、車両外側のサイドトレッド領域におけるオゾンクラックの発生が促進されるため、好ましくない。また、０．９０＜（tanδ_in×Ｓ_in）／（tanδ_out×Ｓ_out）となると、車両のブレーキ熱やエンジン熱などの影響により、車幅方向内側にあるサイドウォール部の熱劣化が大きくなり、好ましくない。
【００４７】
また、この空気入りタイヤ１では、一方のサイドトレッド領域をタイヤ最大幅位置Ａを境界としてタイヤ径方向に二分割したときのタイヤ径方向外側部分の平均損失正接tanδ_in_upおよび断面積Ｓ_in_upと、タイヤ径方向内側部分の平均損失正接tanδ_in_lowおよび断面積Ｓ_in_outとが、０．１０≦（tanδ_in_up×Ｓ_in_up）／（tanδ_in_low×Ｓ_in_low）≦０．９０の関係を有する（図３参照）。タイヤの車両装着状態では、タイヤ径方向外側の部分がタイヤ径方向内側の部分よりも車両のブレーキ熱やエンジン熱などの影響を受け易い。したがって、上記の構成では、タイヤ径方向外側領域の基準発熱量tanδ_in_up×Ｓ_in_upがタイヤ径方向内側領域の基準発熱量tanδ_in_low×Ｓ_in_lowよりも小さく設定されることにより、タイヤ径方向外側部分におけるサイドウォール部の発熱が抑制される。これにより、タイヤの耐発熱性能が向上する利点がある。
【００４８】
また、この空気入りタイヤ１では、一方のサイドトレッド領域をタイヤ幅方向に二等分したときのタイヤ幅方向外側部分の平均損失正接tanδ_in_outおよび断面積Ｓ_in_outと、タイヤ幅方向内側部分の平均損失正接tanδ_in_inおよび断面積Ｓ_in_inとが、０．１０≦（tanδ_in_out×Ｓ_in_out）／（tanδ_in_in×Ｓ_in_in）≦０．９０の関係を有する（図４参照）。タイヤの車両装着状態では、タイヤ幅方向外側の部分がタイヤ幅方向内側の部分よりも車両のブレーキ熱やエンジン熱などの影響を受け易い。したがって、上記の構成では、タイヤ幅方向外側領域の基準発熱量tanδ_in_out×Ｓ_in_outがタイヤ幅方向内側領域の基準発熱量tanδ_in_in×Ｓ_in_inよりも小さく設定されることにより、タイヤ幅方向外側部分におけるサイドウォール部の発熱が抑制される。これにより、タイヤの耐発熱性能が向上する利点がある。
【００４９】
また、この空気入りタイヤ１では、一方のサイドトレッド領域にあるサイドウォールゴム７が、相互に異なる損失正接を有する複数のゴム材料（例えば、アッパー部７１およびローアー部７２、アウター部７３およびインナー部７４など）から成る（図３および図４参照）。かかる構成では、サイドウォールゴム７が複数のゴム材料から成る多色構造を有することにより、サイドトレッド領域の平均損失正接tanδ_in、tanδ_outを容易に調整できる利点がある。
【００５０】
また、この空気入りタイヤ１は、上記のように、一方の前記サイドトレッド領域を車幅方向内側に位置させると共に他方の前記サイドトレッド領域を車幅方向外側に位置させて車両に装着すべき装着方向の指定を有することが好ましい。かかる構成では、タイヤの装着方向が指定されることにより、上記のタイヤ性能が適正に確保される利点がある。なお、タイヤの装着方向は、例えば、通常、内外（Inside-Outside）指定として、タイヤのサイドウォール部に表記される。
【００５１】
［適用対象］
一般に、タイヤ呼び幅が３５５［ｍｍ］以上、タイヤ扁平率が５５［％］以下、規定リムのリム径が１７．５［インチ］以上であり、且つ、シングル装着方式を採用する重荷重用タイヤでは、デュアル装着方式の空気入りタイヤと比較して１本あたりの荷重負荷が大きいため、タイヤの発熱量が大きくなり易いという課題がある。そこで、かかる重荷重用タイヤに、この空気入りタイヤ１の構成（図１〜図４参照）が適用されることにより、タイヤの耐発熱性能の向上効果を顕著に得られる利点がある。
【実施例】
【００５２】
［性能試験］
この実施の形態では、条件が異なる複数の空気入りタイヤについて、耐発熱性能に関する性能試験が行われた。これらの性能試験では、タイヤサイズ４３５／４５Ｒ２２．５の空気入りタイヤがＪＡＴＭＡの規定リムに組み付けられ、この空気入りタイヤにＪＡＴＭＡの規定空気圧および規定荷重の荷重が付与される。
【００５３】
耐発熱性能に関する性能試験では、室内ドラム試験機にて、走行速度６０［ｋｍ／ｈ］の条件下で６０［分］走行した後のサイドトレッド領域の温度が測定される。また、温度は、車幅方向内側のサイドトレッド領域および車幅方向外側のサイドトレッド領域の各４箇所で測定される。そして、この測定温度の平均値に基づいて従来例を基準（１００）とした指数評価がそれぞれ行われる。この評価は、指数が大きいほど車幅方向内側のサイドトレッド領域の温度上昇が抑制されていて、好ましい。また、指数が１０５以上であれば、優位性ありと認められる。
【００５４】
実施例１〜９の空気入りタイヤ１は、タイヤ子午線方向の断面視にて、一方のサイドトレッド領域の平均損失正接tanδ_inおよび断面積Ｓ_inと、他方のサイドトレッド領域の平均損失正接tanδ_outおよび断面積Ｓ_outとが、０．１０≦（tanδ_in×Ｓ_in）／（tanδ_out×Ｓ_out）≦０．９０の関係を有する。また、サイドトレッド領域の断面積Ｓ_in、Ｓ_outの比が０．５０≦Ｓ_in／Ｓ_out≦１．００の範囲内にある。
【００５５】
また、実施例１〜４の空気入りタイヤ１では、サイドウォールゴム７が単一構造を有する（図１および図２参照）。
【００５６】
また、実施例５、６の空気入りタイヤ１では、サイドウォールゴム７がタイヤ径方向に二分割された二色構造を有する（図３参照）。また、タイヤ径方向外側部分の平均損失正接tanδ_in_upおよび断面積Ｓ_in_upと、タイヤ径方向内側部分の平均損失正接tanδ_in_lowおよび断面積Ｓ_in_outとが、０．１０≦（tanδ_in_up×Ｓ_in_up）／（tanδ_in_low×Ｓ_in_low）≦０．９０の関係を有する。
【００５７】
また、実施例７、８の空気入りタイヤ１では、サイドウォールゴム７がタイヤ幅方向に二分割された二色構造を有する（図４参照）。また、タイヤ幅方向外側部分の平均損失正接tanδ_in_outおよび断面積Ｓ_in_outと、タイヤ幅方向内側部分の平均損失正接tanδ_in_inおよび断面積Ｓ_in_inとが、０．１０≦（tanδ_in_out×Ｓ_in_out）／（tanδ_in_in×Ｓ_in_in）≦０．９０の関係を有する（図４参照）。
【００５８】
また、実施例９の空気入りタイヤ１は、タイヤサイズ２７５／７０Ｒ２２．５を有する。このため、各サイドトレッド領域の断面積Ｓ_in、Ｓ_outが実施例１〜８の空気入りタイヤ１よりも小さい。
【００５９】
従来例の空気入りタイヤでは、サイドウォール部が左右対称な構造を有し、左右のサイドトレッド領域の平均損失正接および断面積が等しい。また、サイドウォールゴム７が単一構造を有する。このため、（tanδ_in×Ｓ_in）／（tanδ_out×Ｓ_out）＝１．００である。
【００６０】
試験結果に示すように、実施例１〜９の空気入りタイヤ１では、タイヤの耐発熱性能が向上することが分かる（図５参照）。また、実施例２と実施例５、６および実施例７、８とを比較すると、サイドウォールゴム７を二色構造として、その所定部分（アッパー部７１あるいはアウター部７３）の損失正接tanδ_in_up、tanδ_in_outを小さく設定することにより、効率的にタイヤの耐発熱性能が向上することが分かる。
【符号の説明】
【００６１】
１  空気入りタイヤ、２  ビードコア、３  ビードフィラー、４  カーカス層、５  ベルト層、６  トレッドゴム、７  サイドウォールゴム、５１〜５３  ベルト材、７１  アッパー部、７２  ローアー部、７３  アウター部、７４  インナー部、８１  ビードゴム、８２  リムクッションゴム、８３  ベルトクッションゴム
【図１】
0005899642.tif 000003
【図２】
0005899642.tif 000004
【図３】
0005899642.tif 000005
【図４】
0005899642.tif 000006
【図５】
0005899642.tif 000007